(57)【特許請求の範囲】
【請求項１】
単一の本体に第１及び第２のフィードホーンを備えた２入力フィードホーン付きＬＮＢにおいて、
第１のフィードホーンを直線偏波受信用フィードホーンとし、該直線偏波受信用フィードホーン内には、供給される電流によって入射する直線偏波信号の偏波面を任意の角度だけ回転させ、かつその角度の微調整が可能な機能を持った電子式ポーラライザーを設け、
上記第２のフィードホーンを円偏波受信用フィードホーンとし、該円偏波受信用フィードホーン内には、円偏波信号を直線偏波信号に変換するフェイズシフターを設け、
円偏波受信用フィードホーンから出力される左旋信号及び右旋信号増幅用の第１及び第２のＬＮＡと、ＬＮＢへの供給電圧値を予め定めた基準電圧と比較して、上記第１及び第２のＬＮＡを選択的に作動させる制御信号を導出するコンパレータを設け、
第１及び第２のフィードホーンで受信した受信信号をそれぞれ中間周波数に変換する第１及び第２の混合器と第１及び第２のローカル発振器と、
直線偏波受信用フィードホーン内に設けた電子式ポーラライザーの電流量を制御する電流制御回路と、
直線偏波信号の受信時に電源回路に重畳されるパルス信号の有無とデューティ比を検出し、検出したデューティ比に応じて上記電流制御回路の出力電流量の指令を行うと共に上記パルス信号を検出したとき、直線偏波信号の受信回路に設けられた上記ローカル発振器を選択的に作動させるパルス検出器
を設けたことを特徴とする２入力フィードホーン付きＬＮＢ。
【発明の詳細な説明】
【０００１】
【発明の属する技術分野】
本発明は衛星放送受信機に用いるＬＮＢ（ロー・ノイズ・ブロックダウン・コンバータ）とフィードホーンを備えた２入力フィードホーン付きＬＮＢに関するものである。
【０００２】
【従来の技術】
図６はＬＮＢを用いた代表的な衛星放送受信システムの構成図である。ＬＮＢ１０２は、上記システムのアウトドア部のアンテナ１０１に取り付けられるもので、衛星からの微弱電波を低雑音増幅し、同軸ケーブル１０３を介して次に接続されるインドアレシーバ１０４に低雑音でかつ十分なレベルの信号を供給する。インドアレシーバ１０４は、ＤＢＳ（ダイレクト・ブロードカースト・サテライト）チューナ１０５と、ＦＭデモジュレータ１０６と、映像及び音声回路１０７と、ＲＦモジュレータ１０８とを含み、同軸ケーブル１０３から与えられるＬＮＢ１０２からの受信信号は、これらの回路によって復調等の信号処理が施されて、テレビジョン受像機１０９に与えられる。
【０００３】
図７は米国のＫｕバンド衛星の２つの異なった周波数帯の衛星からの信号を受信するための一般的な受信システムであり、入力周波数が１１．７ＧＨｚ〜１２．２ＧＨｚ（ＦＳＳ  ：  Ｆｉｘｅｄ  Ｓａｔｅｌｌｉｔｅ  Ｓｅｒｖｉｃｅ）の水平偏波信号と垂直偏波信号をそれぞれ受信するＬＮＢ１１３と入力周波数が１２．２ＧＨｚ〜１２．７ＧＨｚ（ＢＳＳ  ：  Ｂｒｏａｄｃａｓｔ  Ｓａｔｅｌｌｉｔｅ  Ｓｅｒｖｉｃｅ）の右旋偏波信号と左旋偏波信号をそれぞれ受信するＬＮＢ１１４をおのおの別々に設けたものである。
【０００４】
従ってそれぞれのＬＮＢ１１３、１１４の受信信号を選ぶときは、入力切り替え器１１２を用いるがシステムによっては、インドアレシーバ１０４にこの機能が含まれる場合もある。なお、図７において、１０４〜１０９は、上記図６の対応するブロックと同一構成であるので説明を省略する。
【０００５】
ここで、一般に直線偏波信号を受信する場合、図８に示すように水平（Ｈ）、垂直（Ｖ）信号に対し、ある地域ではほぼＬＮＢ１２０を直立して受信できるが、地域が変われば図９に示すように水平（Ｈ１）、垂直（Ｖ１）信号がある角度だけ傾いて垂直信号がＶ２、水平信号がＨ２のように到来するため、ＬＮＢ１２０をこの角度α分だけ直立状態から傾けて受信しなくてはならない。
【０００６】
従って、異なった２つの直線偏波を出す衛星からの信号は２台のＬＮＢで受信することになるが、この場合、図１０に示すように一つのＬＮＢ１２１は直立して受信できるが、もう一つのＬＮＢ１２２は傾けて受信しなくてはならない場合がある。図１０に示す場合は、２つのＬＮＢ１２１、１２２は独立しているため、アンテナ１０１に対して、それぞれ最適な角度でＬＮＢ本体を装着することは可能である。もちろん、すべての衛星に対して、このような装着が可能とは限らないが、衛星の静止位置が比較的接近した衛星同士の組み合わせでは可能となる。
【０００７】
また図１１は一つのＬＮＢ１２３が円偏波を受信し、もう一方のＬＮＢ１２４は直線偏波を受信する場合を示している。図１１の１はフェイズシフターであり、円偏波信号を直線偏波に変換するもので、円偏波受信用ＬＮＢ１２３ではフィードホーン１２５の中に内蔵される。１２６は直線偏波受信用ＬＮＢ１２４のフィードホーンである。ここでＬは左旋偏波、Ｒは右旋偏波を示している。
【０００８】
【発明が解決しようとする課題】
上記の従来技術においては、受信しようとする放送衛星が２個の場合、各放送衛星に対応して設けたフィードホーン毎に独立のＬＮＢを設け、各ＬＮＢの出力をケーブルで伝送するので、アウトドアシステムとインドアシステムを結ぶケーブルは２本必要になり、また２本のケーブルより送られて来る信号を切り換える入力切換器１１２が必要になる。
【０００９】
しかも、２個のＬＮＢの取り付け角度を自由に調整できるようにするため取付角度調整装置が必要であった。従って、アンテナユニットとして複雑、高価なものになり、また各地域で屋外に設置されたアンテナユニットのＬＮＢの取付角度を調整せねばならないためアンテナ工事が面倒で複雑なものになるという問題があった。
【００１０】
本発明は、上記の問題点に鑑み、現在米国、カナダにて主流になりつつある入力周波数が１１．７ＧＨｚから１２．７ＧＨｚのＦＳＳ，ＢＳＳ両用のアンテナユニットをコンパクトな形状で実現すると共に部品点数を削減して量産性と信頼性の向上を図り、コストパフォーマンス性に富んだしかも取り付け工事の簡単なアンテナユニットを提供することを目的とする。
【００１１】
【課題を解決するための手段】
本発明は上記の目的を達成するため、単一の本体に第１及び第２のフィードホーンを備えた２入力フィードホーン付きＬＮＢにおいて第１のフィードホーンを直偏波受信用フィードホーンとし、該直線偏波受信用フィードホーン内には、供給される電流によって入射する直線偏波信号の偏波面を任意の角度だけ回転させ、かつその角度の微調整が可能な機能を持った電子ポーラライザーを設け、上記第２のフィードホーンを円偏波受信用フィードホーンとし、該円偏波受信用フィードホーン内には、円偏波信号を直線偏波信号に変換するフェイズシフターを設け、円偏波受信用フィードホーンから出力される左旋信号及び右旋信号増幅用の第１及び第２のＬＮＡと、ＬＮＢへの供給電圧値を予め定めた基準電圧と比較して、上記第１及び第２のＬＮＡを選択的に作動させる制御信号を導出するコンパレータを設け、第１及び第２のフィードホーンで受信した受信信号をそれぞれ中間周波数に変換する第１及び第２の混合器と第１及び第２のローカル発振器と、直線偏波受信用フィードホーン内に設けた電子式ポーラライザーの電流量を制御する電流制御回路と、直線偏波信号の受信時に電源回路に重畳されるパルス信号の有無とデューティ比を検出し、検出したデューティ比に応じて上記電流制御回路の出力電流量の指令を行うと共に上記パルス信号を検出したとき、直線偏波信号の受信回路に設けられた上記ローカル発振器を選択的に作動させるパルス検出器を設けた構成にする。
【００１６】
次に本発明の作用を説明する。直線偏波受信用フィードホーンと円偏波受信用フィードホーンを設けたものでは、直線偏波受信用フィードホーンに電子式ポーラライザーを設けているため、この受信信号の偏波面の角度を当該ポーラライザーへ供給する電流を微調整（スキューと呼ぶ）することで正確に調整することができる。従ってＬＮＢを地域によって傾けて取り付けるなどの調整をアンテナ設置工事時に行わなくともさまざまな地域にて水平かつ垂直偏波信号を最適な状態で受信することが可能となる。
【００１８】
また、電流回路に重畳されている所定のパルス幅、デューティ比、及び波高値を持ったパルス信号により、直線偏波か円偏波の受信を選択したり、円偏波の左旋信号か右旋信号を選択したり直線偏波の垂直、水平偏波信号を選択したり、更には受信地域におけるスキュー機能を持たせることができる。
【００２０】
【発明の実施の形態】
以下、本発明の実施の形態に付いて説明する。図１は、本発明の２入力フィードホーン付きＬＮＢの一実施形態の構成図であり、現在米国やカナダの衛星放送市場で主流になりつつあるＢＳＳと、従来からあるＦＳＳの両方の送信電波を受信可能なアンテナユニットの概略図である。同図において、１は円偏波受信用フィードホーン３内に設けたフェイズシフターであり、２は直線偏波受信用フィードホーン４内に設けた電子式ポーラライザーであり、５はＬＮＢ、１０１はアンテナである。
【００２１】
この電子式ポーラライザー２は、供給される電流値に対して、このポーラライザー２に入力する直線偏波信号の偏波面の角度の回転量が比例する特性を持つもので、電流値を制御させることによって、直線偏波を所望の角度に回転させ、かつその角度の微調整が可能となるものである。従って、ＬＮＢ５本体を直立にしたままで様々な地域において、偏波面のさまざまな傾きを持った直線偏波の送信信号を受信することができる。
【００２２】
図２は、本発明の２入力フィードホーン付きＬＮＢ回路ブロックの一実施形態を示すものである。図２において、６は円偏波受信用フィードホーン３からの左旋信号を適当なレベルに低雑音増幅するＬＮＡ（Ｌｏｗ  Ｎｏｉｓｅ  Ａｍｐｌｉｆｉｅｒ）、７は右旋信号を増幅するＬＮＡであり、ＬＮＢ５の電源８の電圧を基準電圧と比較するコンパレータ９の出力により上記ＬＮＡ６，７には電源８より選択的にバイアスが印加される。
【００２３】
１０はＬＮＡ、１１は選択された周波数帯域に対するイメージ周波数の信号を除去するＢＰＦ（Ｂａｎｄ  Ｐａｓｓ  Ｆｉｌｔｅｒ）であり、２分の１波長インターディジタルフィルタと云われているマイクロストリップ線路の回路基板の銅箔パターンの幅や長さを決めることによって構成される。
【００２４】
１２は上記ＢＰＦ１１の出力信号をローカル発振器１３の発振周波数１１．２５ＧＨｚ（ＢＳＳ）と混合して中間周波信号に変換する混合器、１４はＩＦプリアンプである。また１５はＬＮＢ、１６は上記ＢＰＦ１１と同様構成のＢＰＦであり、１７は、上記ＢＰＦ１６の出力とローカル発振器１８の発振周波数１０．７５ＧＨｚ（ＦＳＳ）を混合する混合器である。この混合器１７の出力は、ＩＦプリアンプ１９を介して、ＩＦコンバイナー２０に供給される。そして、上記ＩＦコンバイナー２０の出力はＩＦＡＭＰ２１を介して、出力端子２２に導かれる。
【００２５】
２３は、上記電源８に重畳された図３に示すパルス信号の有無とデューティ比を検出するパルス検出器であり、２４は上記パルス検出器２３の検出出力に基づき上記フィードホーン４内に設けた電子式ポーラライザー２に所定量の回転を与える信号を供給する電流制御回路である。
【００２６】
上記の構成による本発明の第１の実施形態について、以下にその動作を説明する。
【００２７】
先ず、入力周波数が１２．２ＧＨｚから１２．７ＧＨｚの米国ＢＳＳの衛星から到来する信号を受信する場合について説明する。この場合の衛星から到達する信号は円偏波信号であり、この円偏波信号を直線偏波信号に変換するため、入力フィードホーン３内に、フェイズシフター１が設けられている。このフェイズシフター１は入射する電波の位相を、４分の１波長だけ遅延させる機能を持つもので、誘電体で構成された板状のものであったり、フィードホーン３の内壁に適切な長さと幅と高さを持つ金属の突起状のものにする。
【００２８】
この場合の受信信号は、左旋信号と右旋信号の２通りがあり、このいずれかの信号の選択は、ＬＮＢ５に供給される電源８の電源電圧によって行われる。上記電源電圧が或る基準電圧より大きいか否かをコンパレータ９で調べ、基準電圧より高い場合は、ＬＮＡ６にバイアスが与えられて左旋信号を、また逆に基準電圧より低い場合は、ＬＮＡ７にバイアスを与えて、右旋信号を選択する。
【００２９】
即ち、電源電圧を基準電圧と比較するコンパレータ９を設け、該コンパレータ９の出力により選択しようとする信号が入力するＬＮＡ６或いは７に選択的にバイアス電圧を与え、他方のＬＮＡ７或いは６にはバイアス電圧を与えないようにして左旋信号及び右旋信号を選択的に導出する。
【００３０】
上記のようにして選択された受信信号は、ＬＮＡ１０で更に増幅された後、ＢＰＦ１１に供給され、所望の周波数帯域のみを通過させ、イメージ周波数帯域の信号を除去する。ＢＰＦ１１を通過した信号は混合器１２に供給され、この混合器１２で、予め電源が供給されているローカル発振器１３からのＢＳＳ受信用発振周波数１１．２５ＧＨｚの信号と混合され、９５０ＭＨｚから１４５０ＭＨｚの中間周波帯域の信号に周波数変換される。
【００３１】
そして、適切な雑音特性と利得特性を持つようにＩＦプリアンプ（前置増幅器）で増幅され、次段のＩＦコンバイナー２０に供給される。このＩＦコンバイナー２０は別の衛星からの受信信号のＩＦ信号も同じ最終段のＩＦアンプ２１に供給できるようにするため、これらの両ＩＦ信号を結合させるためのものであり、このＩＦコンバイナー２０の出力は、上記最終段のＩＦアンプ２１を介して、出力端子２２に出力される。
【００３２】
次に、入力周波数が１１．７ＧＨｚから１２．２ＧＨｚの米国ＦＳＳの衛星から到来する信号を受信する場合について説明する。この場合の衛星から到来する信号は直線偏波信号であり、この直線偏波信号は、垂直偏波信号と水平偏波信号の２通りがある。この２信号の選択は、ＬＮＢ５の電源８の電源電圧に図３に示すようなパルス信号を重畳し、このパルス信号の有無とデューティ比をパルス検出器２３で検出し、この検出出力に基づいて、電流制御回路２４の電流量を制御して、フィードホーン４に設けた電子式ポーラライザー２に供給すべき電流をコントロールすることによって行われる。
【００３３】
即ち、上記電子式ポーラライザー２は、電流制御回路２４より供給される電流量に応じて、選択する偏波面の回転角を任意に決定する機能を持つので、電流量制御回路２４より電子式ポーラライザー２に供給する電流量を制御することによって、任意の偏波面の傾きを持った水平、垂直偏波信号を選択することが可能になる。
【００３４】
尚、このとき、パルス検出器２３から、パルスの有無の判定信号も出力され、この出力信号により、ＦＳＳの衛星からの信号を受信するためのローカル発振器１８（ＦＳＳ受信用発振周波数１０．７５ＧＨｚ）の電源がオンされ、他方のローカル発振器１３の電源はオフされる。また、上記パルス検出器２３により、上記パルスがないと判断された場合には、上記とは逆にローカル発振器１３がオンし、ローカル発振器１８がオフ状態になる。
【００３５】
このようにして、電子式ポーラライザー２により選択された信号は、ＬＮＡ１５に入力され、適切なレベルの信号に低雑音増幅された後、所望の周波数帯を通過させイメージ周波数帯の信号を除去するＢＰＦ１６を介し、混合器１７に供給される。
【００３６】
混合器１７では、上記パルス検出器２３の出力により予め電源電圧が供給されたローカル発振器１８からの発振信号が混合され、９５０ＭＨｚから１４５０ＭＨｚの中間周波数帯域の信号に周波数変換される。そして適切な雑音特性と利得特性を持つようにＩＦプリアンプ１９で増幅された後、上記ＩＦコンバイナー２０に供給され、該ＩＦコンバイナー２０で、上記ＩＦプリアンプ１４からの別の衛星の信号と結合し、ＩＦアンプ２１で増幅して出力端２２より出力信号として導出する。
【００３７】
上記図２に示すＬＮＢのブロック図において、ＢＳＳ衛星からの信号を受信するフィードホーン３内には円偏波を直線偏波に変換するためのフェーズシフター１が装着されている。このフェーズシフター１は４分の１波長位相器と呼ばれるものであるが、本実施形態ではフィードホーン３内に適切な長さと幅と高さを持った金属からなる突起で構成しており、フィードホーン３がダイカスト成形で製作されていることを利用して、この突起もフィードホーン３のダイカスト成形と同時に製作して寸法精度の向上と余分な部品の廃止を実現している。
【００３８】
上記フィードホーン３による左旋偏波信号と右旋偏波信号の選択は、フィードホーン３からの信号が最初に入力する１段あるいは２段のＨＥＭＴ（Ｈｉｇｈ  Ｅｌｅｃｔｏｒｏｎ  Ｍｏｂｉｌｉｔｙ  Ｔｒａｎｓｉｓｔｏｒ）素子で構成した低雑音増幅器であるＬＮＡ６のバイアス回路への電流供給をオン、オフすることによって実現している。
【００３９】
すなわちＬＮＢ５に供給される電源電圧値が予め定めた基準の電圧値（例えば動作電圧範囲が１２Ｖから２０Ｖであれば１５Ｖあたりを基準電圧とする）より高い電圧が供給される場合は、左旋偏波信号を選択し、逆に基準電圧値より低い電圧が供給される場合は、右旋偏波信号を選択する。この制御はコンパレータ（電圧比較器）９を用いて実現しており既存のリニアＩＣで構成できる。
【００４０】
上述のようにして選択された信号は、ＢＰＦ１１に供給される。このＢＰＦ１１は選択された周波数帯域に対するイメージ周波数帯域の信号を除去するために設けられた２分の１波長インターディジタルフィルタと呼ばれるもので、マイクロストリップ線路の回路基板の銅箔パターンの幅や長さを理論的に設定することによって構成することができる。そして、このＢＰＦ１１を通過した信号は、混合器１２で、ローカル発振器１３からの発振周波数が１１．２５ＭＨｚの信号と混合され、９５０ＭＨｚから１４５０ＭＨｚの中間周波帯の信号に変換される。
【００４１】
混合器１２で変換されたＩＦ帯域の信号はＩＦプリアンプ１４で適切なレベルの信号に増幅された後、ＩＦコンバイナー２０に供給される。このＩＦコンバイナー２０は、いわゆるパワーコンバイナーと呼ばれ２つの入力からの信号を一つの出力に導くもので、２つの入力と１つの出力の各端子におけるインピーダンス整合と、各端子間のアイソレーション特性を良好にするために設けられている。
【００４２】
すなわち一つの入力の信号が、もう一つの入力の信号の影響をできるだけ受けないようにする効果を狙ったものである。その後、最終段のＩＦアンプ２１に供給されて、中間周波増幅が行われ、適切なレベルに増幅されると共に、出力端子とのインピーダンス整合がここでとられたのち出力端子２２からＩＦ信号として出力される。
【００４３】
一方、フィードホーン４に設けた電子式ポーラライザー２は、図４に示した  Ｒｅｖｏｌｕｔｉｏｎ  Ａｎｇｌｅ  対  Ｐｏｌａｒｉｚｅｒ  Ｃｕｒｒｅｎｔ  特性を満足するもので、この電子式ポーラライザー２の電流制御は、図３に示したパルスをＬＮＢ５の出力同軸ケーブルに重畳した電流により行う。また、この電子式ポーラライザー２はフェライトのファラディー効果を利用したもので小型で信頼性の高いものがすでに実現されている。
【００４４】
上記図３に示したパルス波形は従来からある機械式のポーラライザーを使用する場合に規定されているものと同一規格であり、このパルス波形のデューティ比を変化させることで水平偏波と垂直偏波をそれぞれ選択すると共に、当該パルスのデューティ比を微調整することにより、各地域における直線偏波の偏波面の傾きに合わせた形で受信できるいわゆるスキュー効果の機能を持っている。
【００４５】
図３に示したパルスを検出し、電子式ポーラライザー２に適切な電流を供給するためには、パルス検出器２３と電流制御回路２４が必要であるが、これらは、既存のリニア回路用トランジスタとオペアンプやリニアＩＣで実現できる。また、パルス検出器２３は、パルスの有無も判定して、パルスのないときは、ＢＳＳ衛星の円偏波信号を受信することを選択するために、ＢＳＳ用の発振周波数が１１．２５ＧＨｚの信号を発生させるローカル発振器１３の電源をオンにし、ＦＳＳ用の発振周波数が１０．７５ＧＨｚの信号を発信させるローカル発振器１８の電源をオフにする。上記パルスがあるときは、ＦＳＳ衛星の直線偏波を受信することを選択するため、ローカル発振器１３の電源をオフにし、ローカル発振器１８の電源をオンにする。
【００４６】
図５は本発明の第２の実施形態であり、図２に示す第１の実施形態に対応する部分は同一符号を付し説明を省略する。図５において、４−１は、電子式ポーラライザー２−１を備えた直線偏波用のフィードホーン、１５−１及び３０はＬＮＡ、３１はＢＰＦ、３２は混合器、３３はＦＳＳ用の発振周波数が１０．７５ＭＨｚの信号を発生させるローカル発振器、３３はＩＦプリアンプである。
【００４７】
この第２の実施形態は、衛星から到来する信号が共に直線偏波である場合のもので、その周波数帯域も１１．７ＧＨｚから１２．２ＧＨｚであるが、２つの異なった衛星（静止軌道が異なる）から直線偏波が到来するため、２つの電子式ポーラライザー２及び２−１のスキューの程度を変える必要がある、そのため２つの入力フィードホーン４及び４−１にはそれぞれ電子式ポーラライザーを別々に設ける必要がある。
【００４８】
この電子式ポーラライザー２及び２−１の制御は、前述の第１の実施形態の場合と同じく、パルス検出回路２３と電流制御回路２４によって行われるが、どちらの衛星の信号を選択するかは前述のＬＮＢ５の供給電圧値が基準電圧より大きいか小さいかを判定するコンパレータ９を設けて、それぞれのフィードホーン４及び４−１からの信号が入力されるそれぞれの初段のＬＮＡ１５及び１５−１のバイアス回路への電源供給をオン、オフすることによって実施する。この場合初段のＬＮＡ以外の回路はすべて共通化でき２台のＬＮＢを使用した場合に比べ大幅な部品点数の削減が可能である。
【００４９】
【発明の効果】
以上のように、本発明によれば、１本の同軸ケーブルで２個のフィードホーンの信号の選択と水平・垂直偏波信号の選択と右旋・左旋偏波信号の選択および水平・垂直偏波信号のスキュー動作を行わせることができ、工事の簡単なアンテナユニットを提供することができる。
【００５０】
また、アンテナユニットとインドアシステムの間に２つの衛星からの信号の選択用入力切替器が不必要となると共にＬＮＢをアンテナに取り付ける機構が簡単になり、コストパフォーマンス性に富んだアンテナユニットを提供することができ、２台のＬＮＢを用いた従来のものに比べ部品点数の削減が図れ、量産性かつ信頼性の向上を図ることができる。
【図面の簡単な説明】
【図１】本発明の構成を示す傾視図である。
【図２】本発明の第１の実施形態のブロック図である。
【図３】本発明に用いる電子式ポーラライザーを制御するためのパルス信号の波形図である。
【図４】本発明に用いる電子式ポーラライザーの特性図である。
【図５】本発明の第２の実施形態のブロック図である。
【図６】従来の衛星放送受信システムのブロック図である。
【図７】異なった衛星からの信号を受信する従来の衛星放送受信システムのブロック図である。
【図８】直線偏波を受信する場合のＬＮＢとアンテナと受信信号の概念図である。
【図９】従来例（図８）により異なる衛星放送信号を受信する場合の概念図である。
【図１０】２個の独立したＮＬＢにより異なる放送の信号を受信する場合の概念図である。
【図１１】図１０の動作説明図である。
【符号の説明】
１  フェイズシフター
２    電子式ポーラライザー
３    円偏波受信用フィードホーン
４    直線偏波受信用フィードホーン
５    ＬＮＢ
６    ＬＮＡ
７    ＬＮＡ
８    電源
９    コンパレータ
１２  混合器
１３    ローカル発振器
１７    混合器
１８    ローカル発振器
２３    パルス検出器
２４    電流制御回路
２−１  電子式ポーラライザー
４−１    直線偏波受信用フィードホーン
１５−１  ＬＮＡ
３２    混合器
３３    ローカル発振器
【図１】
0003541989.tif 000002
【図２】
0003541989.tif 000003
【図３】
0003541989.tif 000004
【図４】
0003541989.tif 000005
【図５】
0003541989.tif 000006
【図６】
0003541989.tif 000007
【図７】
0003541989.tif 000008
【図８】
0003541989.tif 000009
【図９】
0003541989.tif 000010
【図１０】
0003541989.tif 000011
【図１１】
0003541989.tif 000012